(57)【要約】      （修正有）【課題】鼻緒を容易に結束させることができる高下駄を提供する。【解決手段】高下駄１は、発泡樹脂製であり、鼻緒Ｈを挿通させるための貫通穴２０を有する上部材２と、上部材２と連結され下方に開口した箱形状の下部材３と、を有する。この構成によれば、鼻緒Ｈ（前紐Ｈ１又は後紐Ｈ２）を、貫通穴２０（前穴２０ａ又は後穴２０ｂ）に挿通させる際には、上部材２の厚み分だけ挿通させればよく、下部材３の厚み分まで挿通させる必要がないので、鼻緒を容易に結束させることができる。【選択図】図１
0003211699.tif 000002
【実用新案登録請求の範囲】
【請求項１】
発泡樹脂製の高下駄であって、
鼻緒を挿通させるための貫通穴を有する上部材と、前記上部材と連結され下方に開口した箱形状の下部材と、を有することを特徴とする高下駄。
【請求項２】
前記下部材は、前記上部材と連結される上底部と、前記上底部と一体形成され接地面と当接する下底部と、を有し、
前記上底部は、前記上部材の貫通穴と対向する領域に形成された貫通口を有し、
前記上部材の貫通穴が、前記貫通口を通じて前記下底部側の開口から露出することを特徴とする請求項１に記載の高下駄。
【請求項３】
前記上底部の外側面は、前記上部材の垂直な側面と滑らかに連続するように形成され、
前記下底部の外側面は、上方から下方に向かうに従って外方に広がるように形成されていることを特徴とする請求項２に記載の高下駄。
【請求項４】
前記貫通穴は、鼻緒の前紐を挿通させるための１つの前穴と、鼻緒の後紐を挿通させるための２つの後穴と、を有し、
前記貫通口は、前記前穴に対応する１つの丸口と、２つの前記後穴に対応する１つの横長口と、を有することを特徴とする請求項２又は請求項３に記載の高下駄。
【考案の詳細な説明】
【技術分野】
【０００１】
本考案は、農業作業者が圃場で使用する発泡樹脂製の高下駄に関する。
【背景技術】
【０００２】
従来から、農業作業者が、比較的、背の高い植物の剪定や収穫を行う際に、圃場の畝に沿って歩きながら順次移動して、連続的に高所作業を行えるように、高下駄を用いることがある。この種の高下駄には、例えば、丈夫なプラスチック製の箱に、それらを足に括り付けるための紐を通したような、簡易な高下駄がある。
【０００３】
しかしながら、上記のような簡易な高下駄において、高所作業のために必要な高さと、人が載っても壊れない丈夫さとを求めると、箱の材質が重くなってしまう。また、箱は、人の足に装着することを想定したものではないので、歩き難いという問題がある。そこで、材質に発泡スチロールを用いた、農業作業者用の高下駄が知られている（例えば、非特許文献１参照）。発泡スチロール製の高下駄は、軽量な上に一定の弾力性があるので、圃場を歩き易く、農業作業者の高所作業の負担を軽減することができる。
【先行技術文献】
【非特許文献】
【０００４】
【非特許文献１】笠原工業株式会社、事業部案内、［平成２９年５月１５日検索］、インターネット＜URL：http://www.kasahara.co.jp/kasahara/business/plastic/ab.html＞
【考案の概要】
【考案が解決しようとする課題】
【０００５】
上記のような発泡スチロール製の高下駄は、高下駄の本体の上面から取り出された鼻緒を用いて足に装着される。しかしながら、発泡スチロール製の高下駄は、通常の下駄に比べて、鼻緒を通す細い穴が、高下駄本体内を長く貫通するように形成されているので、鼻緒を結束させることが容易でない。
【０００６】
本考案は、上記課題に鑑みてなされたものであり、鼻緒を結束させることが容易で、軽量で歩き易く、農業作業者の高所作業の負担を軽減することができる高下駄を提供することを目的とする。
【課題を解決するための手段】
【０００７】
上記課題を解決するため、本考案は、発泡樹脂製の高下駄であって、鼻緒を挿通させるための貫通穴を有する上部材と、前記上部材と連結され下方に開口した箱形状の下部材と、を有することを特徴とする。
【０００８】
上記高下駄において、前記下部材は、前記上部材と連結される上底部と、前記上底部と一体形成され接地面と当接する下底部と、を有し、前記上底部は、前記上部材の貫通穴と対向する領域に形成された貫通口を有し、前記上部材の貫通穴が、前記貫通口を通じて前記下底部側の開口から露出することが好ましい。
【０００９】
上記高下駄において、前記上底部の外側面は、前記上部材の垂直な側面と滑らかに連続するように形成され、前記下底部の外側面は、上方から下方に向かうに従って外方に広がるように形成されていることが好ましい。
【００１０】
上記高下駄において、前記貫通穴は、鼻緒の前紐を挿通させるための１つの前穴と、鼻緒の後紐を挿通させるための２つの後穴と、を有し、前記貫通口は、前記前穴に対応する１つの丸口と、２つの前記後穴に対応する１つの横長口と、を有することが好ましい。
【考案の効果】
【００１１】
本考案によれば、鼻緒を、上部材の貫通穴に挿通させる際には、上部材の厚み分だけ挿通させればよく、下部材の厚み分まで挿通させる必要がないので、鼻緒を容易に結束させることができる。また、作業者の重みを、上部材の厚みと下部材の厚みの両方で受け止めることができ、高下駄として必要とされる構造的な強度を得ることができ、これらが、いずれも発泡樹脂製なので、軽量で歩き易く、農業作業者の高所作業の負担を軽減することができる。
【図面の簡単な説明】
【００１２】
【図１】（ａ）は本考案の一実施形態に係る高下駄の上部材とした部材とを分離した構成を示す斜視図、（ｂ）は上部材と下部材とを連結させた構成を示す斜視図。
【図２】（ａ）は高下駄の上部材の主として上面を示す斜視図、（ｂ）は主として底面を示す斜視図。
【図３】（ａ）は上部材の上面図、（ｂ）は底面図、（ｃ）は側面図、（ｄ）は（ｂ）のＡ−Ａ線断面図、（ｅ）はＢ−Ｂ線断面図、（ｆ）は正面図、（ｇ）はＣ−Ｃ線断面図。
【図４】（ａ）は高下駄の下部材の主として上面を示す斜視図、（ｂ）は主として底面を示す斜視図。
【図５】（ａ）は下部材の上面図、（ｂ）は底面図、（ｃ）は側面図、（ｄ）は正面図、（ｅ）は（ａ）のＤ−Ｄ線断面図、（ｆ）はＥ−Ｅ線断面図。
【図６】（ａ）は高下駄の主として上面を示す斜視図、（ｂ）は主として底面を示す斜視図。
【図７】（ａ）は高下駄の上面図、（ｂ）は底面図、（ｃ）は側面図、（ｄ）は背面図、（ｅ）は（ａ）のＦ−Ｆ線断面図、（ｆ）はＧ−Ｇ線断面図。
【考案を実施するための形態】
【００１３】
本考案の一実施形態に係る高下駄について、図面を参照して説明する。図１（ａ）（ｂ）に示すように、高下駄１は、鼻緒Ｈを挿通させるための貫通穴２０を有する上部材２と、上部材２と連結され下方に開口した箱形状の下部材３と、を有する。上部材２が、作業者の足が載置される台となり、下部材３の底面が、圃場の畝といった接地面と当接する。
【００１４】
上部材２及び下部材３は、いずれも発泡合成樹脂の成形体であり、例えば、熱可塑性樹脂の発泡用の粒子を型内に充填し加熱し、発泡させて一体成形される。熱可塑性樹脂は、例えば、スチレン系樹脂であり、又はスチレン系樹脂に、例えば、オレフィン系樹脂といった他の樹脂を混合させた複合樹脂であってもよい。
【００１５】
図２（ａ）（ｂ）及び図３（ａ）乃至（ｇ）に示すように、上部材２は、高下駄１の天となる上面２１と、上面２１の反対側に位置する下面２２と、を有する。上面２１及び下面２２は、使用時には略水平面となり、略鉛直面である正面２３、両側面２４，２５、背面２６によって接続されている。正面２３、両側面２４、２５及び背面２６の角部は、いずれも緩やかな曲面となるように面取りされている。
【００１６】
上部材２は、上面視で略矩形状であって、概ね厚さの等しい板状の部材として形成されている。なお、本実施形態では、正面２３側（爪先側）の幅が、背面２６側（踵側）の幅よりも、やや小さくなっている（図３（ａ）参照）。上部材２の厚みは、２０〜４０ｍｍであることが好ましく、２５〜３５ｍｍであることがより好ましい。上部材２の厚みを２０ｍｍ以上とすることで、結束された鼻緒Ｈを安定的に保持でき、また、４０ｍｍ以下とすることで、鼻緒Ｈの紐Ｈ１、Ｈ２を挿通させ易くすることができる。
【００１７】
鼻緒Ｈ（紐Ｈ１、Ｈ２）を挿通させるための貫通穴２０は、上面２１から下面２２に向けて略鉛直方向に貫通しており、鼻緒Ｈの前紐Ｈ１を挿通させるための１つの前穴２０ａと、鼻緒Ｈの後紐Ｈ２を挿通させるための２つの後穴２０ｂと、を有する。前穴２０ａは、上部材２の爪先側の真ん中寄りの位置に形成され、後穴２０ｂは、上部材２の上面視における中心よりも踵側であって、上面２１の中心を前後方向に結ぶ線（図３（ｂ）のＡ−Ａ線）に対称に形成されている。
【００１８】
下面２２には、下部材３と連結するための連結凹部２２ａ〜２２ｃが形成されている。本実施形態では、前穴２０ａより中央寄りの連結凹部２２ａが、高下駄の幅方向に伸びるように形成され、それより中央寄りの一対の連結凹部２２ｂが、長さ方向に伸びるように形成され、後穴２０ｂよりも踵側の連結凹部２２ｃが、幅方向に伸びるように形成されている。
【００１９】
図４（ａ）（ｂ）及び図５（ａ）乃至（ｆ）に示すように、下部材３は、上部材２と連結される上底部４と、上底部４と一体形成され接地面と当接する下底部５と、を有する。上底部４は、上部材２の下面２２に対応する形状とされている。下部材３は、上底部４の４辺から延設された脚部（前脚部５３、一対の横脚部５４、５５及び後脚部５６）を有する。
【００２０】
上底部４は、上面視で略矩形状であって、概ね厚さの等しい板状の部材として形成されている。上底部４の厚みは、上部材２と同様、２０〜４０ｍｍであることが好ましく、２５〜３５ｍｍであることがより好ましい。上底部４は、上部材２の下面２２と連結する上面４１と、上面４１の反対側に位置する下面４２と、を有する。上面４１には、上部材２の連結凹部２２ａ〜２２ｃと連結するための連結凸部４１ａ〜４１ｃが形成されている。上面４１及び下面４２は、爪先側が踵側よりも僅かに低くなるように傾斜した略平坦面であり、これらが略鉛直面である正面４３、両側面４４、４５、背面４６により接続されている。正面４３、両側面４４、４５及び背面４６の角部は、いずれも緩やかな曲面となるように面取りされている。
【００２１】
上底部４は、上部材２の貫通穴２０（前穴２０ａ、後穴２０ｂ）と対向する領域に形成された貫通口４０を有する。貫通口４０は、夫々上面４１から下面４２に向けて略鉛直方向に貫通している。本実施形態では、貫通口４０は、上部材２の前穴２０ａに対応する１つの丸口４０ａと、２つの後穴２０ｂに対応する１つの横長口４０ｂと、を有する。丸口４０ａは、上部材２の前穴２０ａよりも大きく形成されている。横長口４０ｂは、上部材２の後穴２０ｂよりも大きく形成された楕円凹と、それら楕円凹を繋ぐ扁平凹と、を有し、扁平凹は、楕円凹よりも高下駄１の長さ方向に広くなるように形成されている。
【００２２】
下底部５は、上底部４との境界部５１より下方において、上底部４の４辺から夫々延設された前脚部５３、一対の横脚部５４、５５及び後脚部５６を有する。これら前脚部５３、一対の横脚部５４、５５及び後脚部５６は隣り合う互いの鉛直辺で繋がっており、それらの底面が、下部材３の底面５２となり、それらで囲まれた領域が、下部材３の開口５２Ａとなる。
【００２３】
前脚部５３、一対の横脚部５４、５５及び後脚部５６の断面厚は、２５〜４０ｍｍが好ましく、３０〜３５ｍｍがより好ましい。断面厚が２５ｍｍ以下であると、荷重に対する構造的な強度が不十分となり、また、底面５２の面積が小さくなり過ぎると、接地力が不十分となる。一方、断面厚が４０ｍｍ以上であると、開口５２Ａが小さくなるので、後述する鼻緒の結束が面倒になる虞がある。各脚部の断面厚を、上記のようにすることで、高下駄として必要な構造的強度と接地力を確保し、且つ鼻緒の結束を容易にすることができる。
【００２４】
前脚部５３、一対の横脚部５４、５５及び後脚部５６の外側面（正面５３ａ、両側面５４ａ、５５ａ、背面５６ａ）の各角部は、上底部４の外側面（４３、４４、４５、４６）の各角部と同様に、いずれも緩やかな曲面となるように面取りされている。また、前脚部５３、一対の横脚部５４、５５及び後脚部５６の内側面（５３ｂ、５４ｂ、５５ｂ、５６ｂ）は、外側面（５３ａ、５４ａ、５５ａ、５６ａ）と略平行であり、いずれも開口５２Ａが大きくなるように、外方に傾斜している。後穴２０ｂに対応する横長口４０ｂは、内側面５４ｂ、５５ｂを一部切り欠くように形成されている（図５（ｂ）参照）。
【００２５】
下底部５の各外側面（正面５３ａ、両側面５４ａ、５５ａ、背面５６ａ）は、上方から下方に向かうに従って外方に広がるように形成されている。従って、下底部５の底面５２の外縁のサイズは、上底部４の上面４１（上部材２の上面２１）の外縁のサイズよりも大きい。すなわち、底面５２が、接地面と接触する面積が大きいので、圃場の畝といった不安定な足場でも、安定的に接地することができる。
【００２６】
また、本実施形態の下底部５は、正面視（又は背面視（図５（ｄ）参照））形状において、上方よりも下方の幅が広くなった台形形状となっている。すなわち、両側面５４ａ、５５ａが、正面５３ａ及び背面５６ａよりも大きく傾斜しており、底面５２の横幅を広く拡大している。農業作業者は、農作物に正対した状態で、畝を横歩き（カニ歩き）することが多い。本実施形態では、上記のように、底面５２の横幅を広く拡大しているので、作業者は、横歩き時にも安定して接地、及び歩行することができる。また、底面５２の爪先側は、上方に切り掛かれた傾斜面５２Ｂとなっており、作業者がつまづくことを防止し、歩き易さを向上させている。
【００２７】
上記にように構成された上部材２及び下部材３は、図６（ａ）（ｂ）及び図７（ａ）乃至（ｆ）に示すように、上部材２の下面２２に形成され連結凹部２２ａ〜２２ｃと、下部材３（上底部４）の上面４１に形成された連結凸部４１ａ〜４１ｃと、を嵌合させ、更に、上部材２の下面２２と下部材３の上面４１とが接着されることで、強固に固定される。なお、下部材３に連結凹部が、上部材２に連結凸部が形成されていてもよい。
【００２８】
図６（ａ）（ｂ）に示すように、上底部４の外側面（正面４３、両側面４４、４５、背面４６）は略鉛直面として形成されているので、上部材２と下部材３とが連結されたときに、上部材２の垂直な側面（正面２３、両側面２４、２５、背面２６）と滑らかに連続する。また、高下駄１の底面側から下部材３の開口５２Ａを覗くと、上部材２の貫通穴２０（前穴２０ａ、後穴２０ｂ）が、貫通口４０（丸口４０ａ、横長口４０ｂ）から下底部５側に露出している。
【００２９】
高下駄１に、鼻緒Ｈを装着するには、まず、鼻緒Ｈの前紐Ｈ１を、前穴２０ａに挿通させて、上部材２の下面２２側から金属ワッシャＳ１を前穴２０ａに取り付けることで、前紐Ｈ１が高下駄１に取り付けられる。また、鼻緒Ｈの後紐Ｈ２の２つの端部を、後穴２０ｂに挿通させて、それらを上部材２の下面２２側で結束させる。後紐Ｈ２の結束は、紐自体を互いに結び付けてもよいし、図示したように、所定の結束具Ｓ２でそれらを結束させてもよい。これら前紐Ｈ１又は後紐Ｈ２を、前穴２０ａ又は後穴２０ｂに挿通させる際には、上部材２の厚み分だけ挿通させればよく、下部材３の厚み分まで挿通させる必要がないので、鼻緒を容易に結束させることができる。
【００３０】
このように、本実施形態の高下駄１によれば、前紐Ｈ１又は後紐Ｈ２を、前穴２０ａ又は後穴２０ｂに挿通させる際には、上部材２の厚み分だけ挿通させればよく、下部材３の厚み分まで挿通させる必要がないので、鼻緒を容易に結束させることができる。また、高下駄１の製造時に鼻緒Ｈを装着する場合には、上部材２と下部材３とを連結させる前に、上部材２に鼻緒Ｈを装着させればよいので、高下駄の脚部（下部材３）が邪魔にならず、より鼻緒Ｈを容易に結束させることができる。
【００３１】
また、上部材２と下部材３とを連結させた後に、鼻緒Ｈを装着又は交換等する際にも、上部材２の貫通穴２０（前穴２０ａ、後穴２０ｂ）が、下部材３（上底部４）の貫通口４０（丸口４０ａ、横長口４０ｂ）を通じて下底部５側の開口５２Ａから露出しているので、作業者が開口５２Ａに手を指し込むことができ、鼻緒Ｈを容易に結束させることができる。また、下部材３の上底部４は、貫通口４０以外は開口しておらず、上部材２と重ね合わされるので、高下駄１を履いた作業者の重みを、上部材２の厚みと下部材３の上底部４の厚みの両方で受け止めることができ、高下駄１として必要とされる構造的な強度を得ることができる。そして、十分な強度を持つ一方で、高下駄１を成す上部材２及び下部材３は、いずれも発泡樹脂製なので、軽量で歩き易く、農業作業者の高所作業の負担を軽減することができる。
【００３２】
更に、鼻緒Ｈのうち下部材３側に挿通された前紐Ｈ１及び後紐Ｈ２は、上底部４のうち丸口４０ａ及び横長口４０ｂが形成された空間に夫々収容される。このとき、下部材３の底面５２に対して高い位置で前紐Ｈ１及び後紐Ｈ２が保持されるので、高下駄１の底面側に取り出された前紐Ｈ１及び後紐Ｈ２が、接地面に触れ難くなり、接地面の溜まり水や泥によって、濡れたり、汚れることを抑制することができる。
【００３３】
また、高下駄１を上部材２と下部材３とで分割可能としたので、例えば、下部材３については、高さが異なる複数パターンを製造する一方で、上部材２についてはいすれの高さでも共用することができる。
【００３４】
なお、本考案は、鼻緒Ｈを挿通させるための貫通穴２０を有する上部材２と、上部材２と連結される下部材３と、を有する構成であれば、上記実施形態に限らず、種々の変形が可能である。例えば、上記実施形態では、鼻緒Ｈを挿通させる貫通穴２０として、１つの前穴２０ａと２つの後穴２０ｂとを有する構成を示したが、貫通穴の個数や配置は、上述した構成例に限らず、適宜に変更され得る。
【符号の説明】
【００３５】
１    高下駄
２    上部材
２０    貫通穴
２０ａ    前穴
２０ｂ    後穴
３    下部材
４    上底部
４０    貫通口
４０ａ    丸口
４０ｂ    横長口
４３    正面（外側面）
４４    横側面（外側面）
４５    横側面（外側面）
４６    背面（外側面）
５    下底部
５２Ａ    開口
５３ａ    正面（外側面）
５４ａ    横側面（外側面）
５５ａ    横側面（外側面）
５６ａ    背面（外側面）
Ｈ    鼻緒
Ｈ１    前紐
Ｈ２    後紐
【図１】
0003211699.tif 000003
【図２】
0003211699.tif 000004
【図３】
0003211699.tif 000005
【図４】
0003211699.tif 000006
【図５】
0003211699.tif 000007
【図６】
0003211699.tif 000008
【図７】
0003211699.tif 000009